(57)【要約】【課題】被処理水の処理の安定性の向上を図ることができる分散板ユニットおよび沈殿槽を提供することである。【解決手段】実施形態の分散板ユニットは、沈殿槽の内側に配置される被処理水の分散板ユニットであって、分散板と、清掃部材とを持つ。前記分散板は、前記沈殿槽に設けられる流入管の下方に配置される。前記清掃部材は、前記分散板の上方に配置され、前記分散板の上面に対して相対的に移動する。【選択図】図１
2018020289.tif 000002
【特許請求の範囲】
【請求項１】
沈殿槽の内側に配置される被処理水の分散板ユニットであって、
前記沈殿槽に設けられる流入管の下方に配置される第１分散板と、
前記第１分散板の上方に配置され、前記第１分散板の上面に対して相対的に移動する第１清掃部材と、
を備えた分散板ユニット。
【請求項２】
前記第１清掃部材は、前記第１分散板の上面に沿って配置される清掃板である、
請求項１に記載の分散板ユニット。
【請求項３】
前記第１清掃部材は、前記第１分散板の上面に向けて水を吐出する給水管である、
請求項１に記載の分散板ユニット。
【請求項４】
前記第１分散板および前記第１清掃部材の一方は、前記流入管に固定され、
前記第１分散板および前記第１清掃部材の他方は、前記沈殿槽の底部に配置される掻寄板を回転させる掻寄シャフトに固定され、
前記第１清掃部材は、前記掻寄シャフトが回転することで、前記第１分散板の上面に対して相対的に移動する、
請求項１から請求項３のいずれか１項に記載の分散板ユニット。
【請求項５】
前記第１分散板は、前記掻寄シャフトに固定されて前記掻寄シャフトと共に回転し、
前記第１清掃部材は、前記流入管に固定されて回転しない、
請求項４に記載の分散板ユニット。
【請求項６】
前記第１清掃部材は、前記掻寄シャフトに固定されて前記掻寄シャフトと共に回転し、
前記第１分散板は、前記流入管に固定されて回転しない、
請求項４に記載の分散板ユニット。
【請求項７】
前記第１分散板に面する流入防止板をさらに備え、
前記第１分散板は、前記掻寄シャフトが通される開口部を有し、
前記流入防止板は、前記掻寄シャフトに取り付けられ、前記第１分散板の開口部の少なくとも一部を覆う、
請求項６に記載の分散板ユニット。
【請求項８】
前記第１分散板の上方に配置される第２分散板と、
前記第２分散板の上方に配置される第２清掃部材と、
をさらに備え、
前記第１分散板および前記第２清掃部材は、前記掻寄シャフトに固定されて前記掻寄シャフトと共に回転し、
前記第１清掃部材および前記第２分散板は、前記流入管に固定されて回転しない、
請求項４に記載の分散板ユニット。
【請求項９】
前記第１清掃部材は、前記第１分散板上のフロックが前記第１清掃部材に向けて相対的に移動する方向に対して前記第１分散板の外周側に向けて傾けて配置される、
請求項１から請求項８のいずれか１項に記載の分散板ユニット。
【請求項１０】
槽体と、
前記槽体の内側に配置される前記流入管と、
請求項１から請求項９のいずれか１項に記載の分散板ユニットと、
を備えた沈殿槽。
【発明の詳細な説明】
【技術分野】
【０００１】
本発明の実施形態は、分散板ユニットおよび沈殿槽に関する。
【背景技術】
【０００２】
流入管から槽体内に供給された被処理水が槽体の内壁面に沿って上昇し、槽体上部の溢流部から清澄水となって流出する沈殿槽が知られている。
ところで、沈殿槽は、被処理水の処理の安定性のさらなる向上が期待されている。
【先行技術文献】
【特許文献】
【０００３】
【特許文献１】特許第４６９６６４６号公報
【発明の概要】
【発明が解決しようとする課題】
【０００４】
本発明が解決しようとする課題は、被処理水の処理の安定性の向上を図ることができる分散板ユニットおよび沈殿槽を提供することである。
【課題を解決するための手段】
【０００５】
実施形態の分散板ユニットは、沈殿槽の内側に配置される被処理水の分散板ユニットであって、分散板と、清掃部材とを持つ。前記分散板は、前記沈殿槽に設けられる流入管の下方に配置される。前記清掃部材は、前記分散板の上方に配置され、前記分散板の上面に対して相対的に移動する。
【図面の簡単な説明】
【０００６】
【図１】第１の実施形態の沈殿槽の全体構成を示す断面図。
【図２】第１の実施形態の分散板ユニットを示す斜視図。
【図３】第１の実施形態の分散板ユニットを示す断面図。
【図４】第１の実施形態の第１分散板および第１清掃板を示す平面図。
【図５】第１の実施形態の第１変形例の第１分散板および第１清掃板を示す平面図。
【図６】第１の実施形態の第２変形例の第１分散板および第１清掃板を示す平面図。
【図７】第２の実施形態の分散板ユニットを示す斜視図。
【図８】第２の実施形態の分散板ユニットを示す断面図。
【図９】第３の実施形態の分散板ユニットを示す斜視図。
【図１０】第３の実施形態の分散板ユニットを示す断面図。
【図１１】第４の実施形態の分散板ユニットを示す斜視図。
【図１２】第４の実施形態の分散板ユニットを示す断面図。
【図１３】第５の実施形態の分散板ユニットを示す斜視図。
【図１４】第５の実施形態の分散板ユニットを示す断面図。
【図１５】第６の実施形態の分散板ユニットを示す斜視図。
【図１６】第６の実施形態の分散板ユニットを示す断面図。
【図１７】第７の実施形態の分散板ユニットを示す斜視図。
【図１８】第７の実施形態の分散板ユニットを示す断面図。
【図１９】第８の実施形態の分散板ユニットを示す断面図。
【図２０】第８の実施形態の分散機構を示す斜視図。
【発明を実施するための形態】
【０００７】
以下、実施形態の分散板ユニットおよび沈殿槽を、図面を参照して説明する。なお以下の説明では、同一または類似の機能を有する構成に同一の符号を付す。そして、それら構成の重複する説明は省略する場合がある。
【０００８】
（第１の実施形態）
図１から図６を参照し、第１の実施形態について説明する。
本実施形態の沈殿槽１は、例えば、工業廃水などの被処理水に含まれる微小のＳＳ（懸濁物質または浮遊物質）を被処理水から分離させる沈殿槽であり、例えば沈降分離法が用いられる沈殿槽である。
【０００９】
まず、沈殿槽１の全体構成について説明する。
図１は、本実施形態の沈殿槽１の全体構成を示す断面図である。
図１に示すように、沈殿槽１は、槽体１１、被処理水供給部１２、流入管ユニット１３、溢流堰１４、被処理水排出部１５、掻寄機構１６、および汚泥引抜管１７を有する。なお図１中では、被処理水の流れを矢印で模式的に示す。
【００１０】
槽体１１は、円筒状または多角形状などの筒状に形成された容器である。槽体１１は、例えば、底壁２１と、底壁２１の周縁部から上方に向けて起立した周壁２２とを含む。槽体１１は、内部に被処理水を貯留するとともに、フロックを沈殿させる。なお「フロック」とは、凝縮作用などによって生成された塊状物を意味し、例えば浮遊物質を含む被処理水中に凝縮剤などが添加されることで生じる綿くず状の塊状物を意味する。槽体１１は、内部に貯留する被処理水の流れを均一化できるように、例えば槽体１１の中心軸Ｃを鉛直方向と略一致させて設置されている。また、槽体１１の底壁２１の中央部には、沈殿物を槽体１１の外部に排出する排出口２１ａが設けられている。排出口２１ａには、汚泥引抜管１７が接続されている。
【００１１】
被処理水供給部１２は、例えば槽体１１の外側から槽体１１の内側に延びた流入トラフ（または供給配管など）である。本願で言う「トラフ」とは、溝を形成する構造体を意味する。被処理水供給部１２は、後述する溢流堰１４よりも上方に配置され、流入管ユニット１３の上端に接続されている。被処理水供給部１２は、処理対象の被処理水を流入管ユニット１３内に上方から連続的に供給する。
【００１２】
流入管ユニット１３は、槽体１１の内側（すなわち、沈殿槽１の内側）に配置され、被処理水供給部１２から供給された被処理水を槽体１１内に流入させる。本実施形態の流入管ユニット１３は、流入管２５と、流入管２５から槽体１１内に流入する被処理水を鉛直方向とは交差する方向に分散させる分散板ユニット２６とを有する。なお、分散板ユニット２６については、詳しく後述する。
【００１３】
流入管２５は、槽体１１の内側に配置されている。なお本願で言う「槽体の内側に配置される」とは、槽体１１の内側に流入管２５の少なくとも一部が配置されることを意味する。流入管２５は、「センターウェル」または「フィードウェル」などと称されてもよい。被処理水供給部１２は、流入管２５の上部に接続され、被処理水を流入管２５内に上方から供給する。
【００１４】
流入管２５は、例えば円筒状または多角形状などの筒状に形成されている。流入管２５は、流入管２５の中心軸を鉛直方向と略一致させて配置されている。例えば、流入管２５の中心軸は、槽体１１の中心軸Ｃと略一致する。
【００１５】
流入管２５の下端２５ａは、槽体１１の底壁２１から離れている。流入管２５の下端２５ａと槽体１１の底壁２１との間には、被処理水が略水平方向に分散して流れる流路が形成されている。被処理水供給部１２から流入管２５内に供給された被処理水は、流入管２５内を下方に向けて流れ、流入管２５の下端２５ａの開口部２５ｂから槽体１１内に供給される。流入管２５から槽体１１内に供給された被処理水は、槽体１１の周壁２２の内壁面と流入管２５の外周面との間をゆっくりと上昇する。例えばこの過程で、フロックの一部が被処理水から分離して沈殿する。
【００１６】
掻寄機構１６は、掻寄シャフト３１、駆動モータ３２、支持部材３３、および複数の掻寄板３４を有する。掻寄シャフト３１は、槽体１１の中心部（流入管２５の中心部）に配置されている。掻寄シャフト３１は、流入管２５の中心軸と略平行な方向で、流入管２５を貫通して延びている。駆動モータ３２は、直接または伝達機構などを介して掻寄シャフト３１に接続され、掻寄シャフト３１を回転させる。支持部材３３は、掻寄シャフト３１の下部に連結されている。複数の掻寄板３４は、支持部材３３に取り付けられ、槽体１１の底部（沈殿槽１の底部）に配置されている。このような構成の掻寄機構１６によれば、掻寄シャフト３１は、駆動モータ３２によって駆動されて支持部材３３および複数の掻寄板３４を回転させる。これにより、槽体１１の底壁２１に沈殿した沈殿物が底壁２１の中央部に向けて掻寄せられる。掻寄られた沈殿物は、底壁２１の中央部に設けられた排出口２１ａおよび汚泥引抜管１７を通じて槽体１１の外部に排出される。
【００１７】
溢流堰１４は、槽体１１の上部に設けられている。溢流堰１４は、この溢流堰１４の上端から溢れた被処理水を収容できるように槽体１１内に溝状に設けられている。例えば、溢流堰１４は、槽体１１の周壁２２の内壁面に沿って設けられている。溢流堰１４は、フロックの分離除去が行われて清浄化された被処理水を被処理水排出部１５に流出させる。
【００１８】
被処理水排出部１５は、例えば溢流堰１４の内部に連通するとともに槽体１１の外側に延びた流出トラフ（または排出配管など）である。被処理水排出部１５は、溢流堰１４の上端から溢れた被処理水を槽体１１の外部に流出させる。槽体１１の外部に流出された被処理水は、例えばさらに他の処理が行われて、ユースポイントに送出される。
【００１９】
次に、分散板ユニット２６について詳しく説明する。
図２は、分散板ユニット２６を示す斜視図である。図３は、分散板ユニット２６を示す断面図である。図２および図３に示すように、本実施形態の分散板ユニット２６は、分散機構（分配機構）３５と、この分散機構３５を清掃する清掃機構３６とを備えている。
【００２０】
まず、分散機構３５について説明する。
図２および図３に示すように、分散機構３５は、流入管２５の下方に配置されている。分散機構３５は、流入管２５の下端２５ａと槽体１１の底壁２１との間に配置され、流入管２５の下端２５ａの開口部２５ｂに面する。分散機構３５は、少なくとも１枚の分散板（例えば分散板４１）を含む。分散板は、略水平方向に沿って配置されている。分散板は、流入管２５から槽体１１内に流入する被処理水の流れ方向を、被処理水が分散板に衝突することで鉛直方向とは交差する方向に変える。これにより、分散板は、流入管２５から槽体１１内に流入する被処理水を、鉛直方向とは交差する方向に分散させる。これにより、分散板は、槽体１１内で被処理水の流れが局所的に速くなることを抑制し、被処理水の処理効率を高める。
【００２１】
本実施形態の分散機構３５は、例えば３枚の分散板（第１分散板４１、第２分散板４２，第３分散板４３）と、これら分散板４１，４２，４３を連結して支持した分散板支持部材４４とを有する。なお、分散機構３５に設けられる分散板は、１枚でもよく、２枚でもよく、４枚以上でもよい。
【００２２】
第１分散板４１、第２分散板４２，および第３分散板４３は、それぞれ略水平方向に沿うとともに、互いに間隔を空けて異なる高さに配置されている。本実施形態では、第１分散板４１は、３枚の分散板４１，４２，４３のなかで最下部に位置する。第２分散板４２は、第１分散板４１の上方に位置する。第３分散板４３は、第２分散板４２のさらに上方に位置する。第１分散板４１、第２分散板４２，および第３分散板４３は、円形状または多角形状に形成されている。第１分散板４１、第２分散板４２，および第３分散板４３は、例えば流入管２５の開口部２５ｂよりも大きな外形を有するが、これに限定されない。
【００２３】
第１分散板４１は、掻寄シャフト３１の外周面との間に隙間を空ける開口部を有しない。第１分散板４１は、掻寄シャフト３１の外周面に固定されている。第１分散板４１は、掻寄シャフト３１が回転する場合、掻寄シャフト３１と共に回転する。
【００２４】
第２分散板４２は、第１開口部４２ａを有する。第１開口部４２ａは、円形状または多角形状に形成されている。第１開口部４２ａは、槽体１１の中心軸Ｃ（掻寄シャフト３１）を中心とする同心円状に形成されている。掻寄シャフト３１は、第１開口部４２ａに通されている。第２分散板４２は、第１開口部４２ａを有することで、掻寄シャフト３１の外周面から離れている。
【００２５】
第３分散板４３は、第２開口部４３ａを有する。第２開口部４３ａは、第１開口部４２ａよりも大きい。第２開口部４３ａは、円形状または多角形状に形成されている。第２開口部４３ａは、槽体１１の中心軸Ｃ（掻寄シャフト３１）を中心とする同心円状に形成されている。掻寄シャフト３１は、第２開口部４３ａに通されている。第３分散板４３は、第２開口部４３ａを有することで、掻寄シャフト３１の外周面から離れている。
【００２６】
分散板支持部材４４は、例えば、分散板４１，４２，４３の外周面４１ｓ，４２ｓ，４３ｓよりも外周側に配置されている。分散板支持部材４４は、分散板４１，４２，４３の外周面４１ｓ，４２ｓ，４３ｓよりも外周側で略鉛直方向に延びており、複数の分散板４１，４２，４３を互いに連結している。これにより、第２分散板４２および第３分散板４３は、分散板支持部材４４および第１分散板４１を介して、掻寄シャフト３１に固定されている。このため、第２分散板４２および第３分散板４３は、掻寄シャフト３１が回転する場合、掻寄シャフト３１と共に回転する。なお、分散板支持部材４４は、１つでもよいが、分散板４１，４２，４３の周方向において複数（例えば３つ以上）設けられると、複数の分散板４１，４２，４３がより安定して支持される。
【００２７】
このような構成によれば、流入管２５の下端２５ａから槽体１１内に流入した被処理水の一部は、第３分散板４３が設けられた高さで第３分散板４３に衝突する。第３分散板４３に衝突した被処理水は、第３分散板４３によって鉛直方向とは交差する方向に分散される。同様に、流入管２５の下端２５ａから槽体１１内に流入した被処理水の別の一部は、第２分散板４２が設けられた高さで第２分散板４２に衝突する。第２分散板４２に衝突した被処理水は、第２分散板４２によって鉛直方向とは交差する方向に分散される。さらに、流入管２５の下端２５ａから槽体１１内に流入した被処理水のさらに別の一部は、第１分散板４１が設けられた高さで第１分散板４１に衝突する。第１分散板４１に衝突した被処理水は、第１分散板４１によって鉛直方向とは交差する方向に分散される。
【００２８】
すなわち、流入管２５から槽体１１内に流入する被処理水は、外周側から順番に第３分散板４３、第２分散板４２、および第１分散板４１に別々に衝突する。すなわち、被処理水は、各分散板４１，４２，４３に段階的に衝突して分散されるため、１枚の分散板によって分散させる場合に比べて、効率的に分散される。これにより、槽体１１内で被処理水の流れが局所的に速くなることをさらに確実に抑制し、被処理水の処理効率をさらに高めることができる。
【００２９】
次に、分散機構３５を清掃する清掃機構（清掃ユニット）３６について説明する。
本実施形態の清掃機構３６は、第１清掃板５１、第２清掃板５２、第３清掃板５３、および清掃板支持部材５４を有する。なお以下の説明では、掻寄シャフト３１に近付く方向を「内側」、掻寄シャフト３１から離れる方向を「外側」という。
【００３０】
第１清掃板５１は、「第１清掃部材」の一例である。第１清掃板５１は、第１分散板４１の上方に配置され、第１分散板４１の上面４１ｕに面する。例えば、第１清掃板５１は、第１分散板４１と第２分散板４２との間に配置されている。本実施形態では、第１清掃板５１は、第１分散板４１の上面４１ｕに沿って配置された平板である。例えば、第１清掃板５１は、掻寄シャフト３１の径方向Ｒに沿って設けられている（図４参照）。例えば、第１清掃板５１は、掻寄シャフト３１の近傍から、第１分散板４１の外周面４１ｓよりも外側まで延びている。
【００３１】
例えば、第１清掃板５１と第１分散板４１の上面４１ｕと間には、第１清掃板５１が第１分散板４１に対してスムーズに相対的に移動するための隙間が形成されている。なお、第１清掃板５１は、例えば少なくとも一部が弾性を有する材料で形成され、第１分散板４１の上面４１ｕに摺動可能に接していてもよい。第１清掃板５１は、後述する清掃板支持部材５４を介して流入管２５に固定されており、槽体１１に対して回転しない。第１清掃板５１は、掻寄シャフト３１の回転に伴って第１分散板４１が回転することで、第１分散板４１の上面４１ｕに対して相対的に移動する。なお本願でいう「相対的に移動」とは、本実施形態のように静止した清掃部材に対して分散板が移動する場合に限らず、後述するように静止した分散板に対して清掃部材が移動する場合も含む。
【００３２】
第２清掃板５２は、「第２清掃部材」の一例である。第２清掃板５２は、第２分散板４２の上方に配置され、第２分散板４２の上面４２ｕに面する。例えば、第２清掃板５２は、第２分散板４２と第３分散板４３との間に配置されている。例えば、第２清掃板５２は、第２分散板４２の第１開口部４２ａの内周面よりも内側から第２分散板４２の外周面４２ｓよりも外側まで延びている。第２清掃板５２は、後述する清掃板支持部材５４を介して流入管２５に固定されており、槽体１１に対して回転しない。第２清掃板５２は、掻寄シャフト３１の回転に伴って第２分散板４２が回転することで、第２分散板４２の上面４２ｕに対して相対的に移動する。
【００３３】
第３清掃板５３は、「第３清掃部材」の一例である。第３清掃板５３は、第３分散板４３の上方に配置され、第３分散板４３の上面４３ｕに面する。例えば、第３清掃板５３は、第３分散板４３と流入管２５の下端２５ａとの間に配置されている。例えば、第３清掃板５３は、第３分散板４３の第２開口部４３ａの内周面よりも内側から第３分散板４３の外周面４３ｓよりも外側まで延びている。第３清掃板５３は、後述する清掃板支持部材５４を介して流入管２５に固定されており、槽体１１に対して回転しない。第３清掃板５３は、掻寄シャフト３１の回転に伴って第３分散板４３が回転することで、第３分散板４３の上面４３ｕに対して相対的に移動する。
【００３４】
なお、第２清掃板５２および第３清掃板５３に関するその他の説明は、第１清掃板５１に関する上記説明において、「第１清掃板５１」を「第２清掃板５２」または「第３清掃板５３」と、「第１分散板４１」を「第２分散板４２」または「第３分散板４３」と、「第１分散板４１の上面４１ｕ」を「第２分散板４２の上面４２ｕ」または「第３分散板４３の上面４３ｕ」と読み替えればよい。
【００３５】
ここで、図２を参照し、第１清掃板５１、第２清掃板５２、および第３清掃板５３の配置例について説明する。第１清掃板５１、第２清掃板５２、および第３清掃板５３は、掻寄シャフト３１の回転方向において、互いに異なる位置に配置されている。例えば、第１清掃板５１、第２清掃板５２、および第３清掃板５３は、第１分散板４１上のフロックＦが第１清掃板５１に向けて相対的に移動する移動方向Ｄにおいて、第１清掃板５１、第２清掃板５２、および第３清掃板５３の順（すなわち第１清掃板５１が最も上流側、第３清掃板５３が最も下流側となるように）に配置されている。なお、清掃板５１，５２，５３の配置例は、上記に限定されない。例えば、第１清掃板５１、第２清掃板５２、および第３清掃板５３は、上述したフロックＦの相対的な移動方向Ｄにおいて、第３清掃板５３、第２清掃板５２、および第１清掃板５１の順に配置されてもよい。また、第１清掃板５１、第２清掃板５２、および第３清掃板５３は、上述したフロックＦの相対的な移動方向Ｄにおいて、互いに同じ位置に配置されてもよい。
【００３６】
清掃板支持部材５４は、清掃部材を支持する「支持部材」の一例である。例えば、清掃板支持部材５４は、第１清掃板５１、第２清掃板５２、および第３清掃板５３を流入管２５に固定する。本実施形態では、清掃板支持部材５４は、流入管２５の内周面に固定されるとともに、第２分散板４２の第１開口部４２ａおよび第３分散板４３の第２開口部４３ａを通り、第１分散板４１まで延びている。清掃板支持部材５４は、複数の分散板４１，４２，４３の外周面４１ｓ，４２ｓ，４３ｓよりも内側で、第１清掃板５１、第２清掃板５２、および第３清掃板５３を支持している。
【００３７】
次に、清掃機構３６の作用について説明する。
ここでは、第１清掃板５１の作用を代表して述べる。
図４は、第１分散板４１および第１清掃板５１を示す平面図である。
図４に示すように、本実施形態では、第１清掃板５１は、流入管２５に固定されおり、回転しない。一方で、第１分散板４１は、掻寄シャフト３１に固定されており、駆動モータ３２によって掻寄シャフト３１が回転されることで、掻寄シャフト３１と共に回転する。その結果、第１清掃板５１は、第１分散板４１の上面４１ｕに対して相対的に移動する。
【００３８】
第１清掃板５１が第１分散板４１の上面４１ｕに対して相対的に移動すると、第１分散板４１の上面４１ｕに堆積した沈殿物（例えばフロックＦ）は、第１清掃板５１にぶつかり、第１清掃板５１によって第１分散板４１の上面４１ｕから剥離される。これにより、第１清掃板５１によって第１分散板４１の上面４１ｕが清掃される。なお上記作用は、第２清掃板５２および第３清掃板５３についても同様である。
【００３９】
このような構成によれば、被処理水の処理の安定性の向上を図ることができる。
ここで、被処理水の分離効率を高めるためには、低速で均一な上昇流を生じさせることが重要になる。そこで、流入管の下方に分散板を配置し、流入管から槽体の内部に流入した被処理水を低速で均一な上昇流に変えることが考えられる。これにより、沈殿槽における被処理水の滞留時間を長くし、被処理水の分離効率を高めることができる。
【００４０】
しかしながら、被処理水によってはフロックが重くなるものがある。このような被処理水の場合、フロックが分散板の上に堆積して、分散板による流れの抑制作用が低下する場合がある。その結果、分散板で局所的に高速流が発生し、均一な上昇流が得られず、被処理水の滞留時間が減少する可能性がある。被処理水の滞留時間が減少すると、フロックの沈降性能が低下し、被処理水の分離効率が低下する。また、分散板に堆積したフロックを比較的高い頻度で清掃することが必要になる場合もある。
【００４１】
そこで本実施形態では、分散板ユニット２６は、沈殿槽１の内側に配置される被処理水の分散板ユニット２６であって、第１分散板４１と、第１清掃板５１とを有する。第１分散板４１は、沈殿槽１に設けられる流入管２５の下方に配置される。第１清掃板５１は、第１分散板４１の上方に配置され、第１分散板４１の上面４１ｕに対して相対的に移動する。このような構成によれば、第１清掃板５１によって第１分散板４１の上面４１ｕを清掃し、第１分散板４１の上面４１ｕの上にフロックＦが堆積し続けることを抑制することができる。これにより、第１分散板４１の性能を維持し、被処理水の処理を安定的、効率的に行うことができる。また、第１分散板４１に堆積したフロックＦの人手による清掃頻度を減らすこともできる。
【００４２】
本実施形態では、清掃機構３６は、第１清掃部材として第１分散板４１の上面４１ｕに沿って配置される第１清掃板５１を有する。このような構成によれば、比較的簡単な構成で、第１分散板４１の上面４１ｕの清掃を行うことができる。これにより、清掃機構３６を有した分散板ユニット２６および沈殿槽１の低コスト化を図ることができる。
【００４３】
本実施形態では、第１清掃板５１は、流入管２５に固定されている。一方で、第１分散板４１は、掻寄シャフト３１に固定されている。第１清掃板５１は、掻寄シャフト３１が回転することで、第１分散板４１の上面４１ｕに対して相対的に移動する。このような構成によれば、第１清掃板５１を第１分散板４１に対して移動させるための専用の駆動源を省略することができる。これにより、清掃機構３６を有した分散板ユニット２６および沈殿槽１の低コスト化や小型化を図ることができる。
【００４４】
なお、清掃板５１，５２，５３の具体的な構成は、上記例に限定されない。
例えば、図５に示すように、清掃板５１，５２，５３は、分散板４１，４２，４３上のフロックＦを分散板４１，４２，４３の外周側に向けて案内するように、フロックＦが清掃板５１，５２，５３に向けて相対的に移動する移動方向Ｄに対して分散板４１，４２，４３の外周側に向けて傾けて配置されてもよい。言い換えると、清掃板５１，５２，５３は、分散板４１，４２，４３の内周側から外周側に向けて進むに従い、上述のフロックＦの相対的な移動方向Ｄの下流側に位置するように、掻寄シャフト３１の径方向Ｒに対して傾けて配置されてもよい。このような構成によれば、清掃板５１，５２，５３は、この清掃板５１，５２，５３に接触したフロックＦを、分散板４１，４２，４３の外周側に向けてスムーズに移動させ、フロックＦを分散板４１，４２，４３から槽体１１の底壁２１に落とすことができる。これにより、分散板４１，４２，４３の清掃効率を高めることができる。
【００４５】
また、図６に示すように、清掃板５１，５２，５３は、分散板４１，４２，４３の内周側から外周側に向けて進むに従い、上述のフロックＦの相対的な移動方向Ｄの下流側に位置するように湾曲していてもよい。このような構成によっても、清掃板５１，５２，５３は、この清掃板５１，５２，５３に接触したフロックＦを、分散板４１，４２，４３の外周側に向けてスムーズに移動させることができる。これにより、分散板４１，４２，４３の清掃効率を高めることができる。
【００４６】
（第２の実施形態）
次に、図７および図８を参照し、第２の実施形態について説明する。本実施形態は、分散板支持部材４４および清掃板支持部材５４の配置に関する点で第１の実施形態とは異なる。なお、以下に説明する以外の構成は、第１の実施形態と同様である。
【００４７】
図７は、本実施形態の分散板ユニット２６を示す斜視図である。図８は、本実施形態の分散板ユニット２６を示す断面図である。
図７および図８に示すように、本実施形態の分散機構３５は、分散板４１，４２，４３に加えて、複数の分散板支持部材４４を有する。複数の分散板支持部材４４は、第２分散板４２の第１開口部４２ａの内周面と掻寄シャフト３１の外周面との間、および第３分散板４３の第２開口部４３ａの内周面と掻寄シャフト３１の外周面との間に設けられている。複数の分散板支持部材４４は、分散板４１，４２，４３の外周面４１ｓ，４２ｓ，４３ｓよりも内側で、第２分散板４２および第３分散板４３を支持している。
【００４８】
一方で、本実施形態の清掃機構３６は、清掃板５１，５２，５３に加えて、複数の清掃板支持部材５４を有する。複数の清掃板支持部材５４は、流入管２５の外周面に固定されている。複数の清掃板支持部材５４は、分散板４１，４２，４３の外周面４１ｓ，４２ｓ，４３ｓよりも外側で、第１清掃板５１、第２清掃板５２、および第３清掃板５３を支持している。
【００４９】
このような構成によれば、第１の実施形態と同様に、被処理水の処理の安定性の向上を図ることができる。
【００５０】
（第３の実施形態）
次に、図９および図１０を参照し、第３の実施形態について説明する。本実施形態は、清掃板５１，５２，５３に代えて給水管６１，６２，６３が設けられた点で第１の実施形態とは異なる。なお、以下に説明する以外の構成は、第１の実施形態と同様である。
【００５１】
図９は、本実施形態の分散板ユニット２６を示す斜視図である。図１０は、本実施形態の分散板ユニット２６を示す断面図である。なお図中の矢印は、給水管６１，６２，６３から吐出される水（清掃水）の流れを模式的に示す。
図９および図１０に示すように、本実施形態の清掃機構３６は、第１給水管６１、第２給水管６２、第３給水管６３、および給水接続管６４を有する。
【００５２】
第１給水管６１は、「第１清掃部材」の一例である。第１給水管６１は、第１分散板４１の上方に配置され、第１分散板４１の上面４１ｕに面する。例えば、第１給水管６１は、第１分散板４１と第２分散板４２との間に配置されている。本実施形態では、第１給水管６１は、第１分散板４１の上面４１ｕに沿って配置されている。例えば、第１給水管６１は、掻寄シャフト３１の径方向Ｒに沿って設けられている。例えば、第１給水管６１は、掻寄シャフト３１の近傍から、第１分散板４１の外周面４１ｓよりも外側まで延びている。
【００５３】
第１給水管６１は、後述する給水接続管６４を介して流入管２５に固定されており、槽体１１に対して回転しない。第１給水管６１は、掻寄シャフト３１の回転に伴って第１分散板４１が回転することで、第１分散板４１の上面４１ｕに対して相対的に移動する。第１給水管６１は、第１分散板４１の上面４１ｕに向けて開口した複数の給水孔６７を有する。例えば、複数の給水孔６７は、第１分散板４１の内側（中心側）から外側に向かう方向に沿って略直線状に並べられている。第１給水管６１は、複数の給水孔６７から第１分散板４１の上面４１ｕに向けて水を吐出する。例えば、第１給水管６１は、第１分散板４１上に堆積したフロックＦが第１給水管６１に向けて相対的に移動する移動方向Ｄに対して、フロックＦの移動方向Ｄとは反対方向に向けて水を吐出する。
【００５４】
第２給水管６２は、「第２清掃部材」の一例である。第２給水管６２は、第２分散板４２の上方に配置され、第２分散板４２の上面４２ｕに面する。例えば、第２給水管６２は、第２分散板４２と第３分散板４３との間に配置されている。例えば、第２給水管６２は、第２分散板４２の第１開口部４２ａの内周面よりも内側から第２分散板４２の外周面４２ｓよりも外側まで延びている。第２給水管６２は、後述する給水接続管６４を介して流入管２５に固定されており、槽体１１に対して回転しない。第２給水管６２は、掻寄シャフト３１の回転に伴って第２分散板４２が回転することで、第２分散板４２の上面４２ｕに対して相対的に移動する。
【００５５】
第３給水管６３は、「第３清掃部材」の一例である。第３給水管６３は、第３分散板４３の上方に配置され、第３分散板４３の上面４３ｕに面する。例えば、第３給水管６３は、第３分散板４３と流入管２５の下端２５ａとの間に配置されている。例えば、第３給水管６３は、第３分散板４３の第２開口部４３ａの内周面よりも内側から第３分散板４３の外周面４３ｓよりも外側まで延びている。第３給水管６３は、後述する給水接続管６４を介して流入管２５に固定されており、槽体１１に対して回転しない。第３給水管６３は、掻寄シャフト３１の回転に伴って第３分散板４３が回転することで、第３分散板４３の上面４３ｕに対して相対的に移動する。
【００５６】
なお、第２給水管６２および第３給水管６３に関するその他の説明は、第１給水管６１に関する上記説明において、「第１給水管６１」を「第２給水管６２」または「第３給水管６３」と、「第１分散板４１」を「第２分散板４２」または「第３分散板４３」と、「第１分散板４１の上面４１ｕ」を「第２分散板４２の上面４２ｕ」または「第３分散板４３の上面４３ｕ」と読み替えればよい。
【００５７】
ここで、図９を参照して、第１給水管６１、第２給水管６２、および第３給水管６３の配置例について説明する。第１給水管６１、第２給水管６２、および第３給水管６３は、掻寄シャフト３１の回転方向において、互いに異なる位置に配置されている。例えば、第１給水管６１、第２給水管６２、および第３給水管６３は、第１分散板４１上のフロックＦが第１給水管６１に向けて相対的に移動する移動方向Ｄにおいて、第３給水管６３、第２給水管６２、および第１給水管６１の順（すなわち第３清掃板５３が最も上流側、第１給水管６１が最も下流側となるように）に配置されている。なお、給水管６１，６２，６３の配置例は、上記に限定されない。例えば、第１給水管６１、第２給水管６２、および第３給水管６３は、上述したフロックＦの相対的な移動方向Ｄにおいて、第１給水管６１、第２給水管６２、および第３給水管６３の順に配置されてもよい。また、第１給水管６１、第２給水管６２、および第３給水管６３は、上述したフロックＦの相対的な移動方向Ｄにおいて、互いに同じ位置に配置されてもよい。
【００５８】
給水接続管６４は、流入管２５の上方に向けて延びている。給水接続管６４は、図示しないホースまたは固定配管に接続され、外部から清掃用の水が供給される。給水接続管６４は、第１給水管６１、第２給水管６２、および第３給水管６３に連通している。これにより、給水接続管６４に水が供給されることで、第１給水管６１、第２給水管６２、および第３給水管６３は、給水孔６７から水を吐出することができる。
【００５９】
また別の観点で見ると、給水接続管６４は、第１給水管６１、第２給水管６２、および第３給水管６３を流入管２５に固定する。すなわち、給水接続管６４は、清掃部材を支持する「支持部材」の一例である。本実施形態では、給水接続管６４は、複数の分散板４１，４２，４３の外周面４１ｓ，４２ｓ，４３ｓよりも内側で、第１給水管６１、第２給水管６２、および第３給水管６３を支持している。
【００６０】
次に、本実施形態の清掃機構３６の作用について説明する。
ここでは、第１給水管６１の作用を代表して述べる。
本実施形態では、第１給水管６１は、流入管２５に固定されおり、回転しない。一方で、第１分散板４１は、掻寄シャフト３１に固定されており、駆動モータ３２によって掻寄シャフト３１が回転されることで、掻寄シャフト３１と共に回転する。その結果、第１給水管６１は、第１分散板４１の上面４１ｕに対して相対的に移動する。
【００６１】
第１給水管６１が第１分散板４１の上面４１ｕに対して相対的に移動すると、第１分散板４１の上面４１ｕに堆積した沈殿物（例えばフロックＦ）は、第１給水管６１から吐出された水流によって第１分散板４１の上面４１ｕから剥離される。これにより、第１給水管６１によって第１分散板４１の上面４１ｕが清掃される。なお上記作用は、第２給水管６２および第３給水管６３についても同様である。また、給水管６１，６２，６３による清掃は、沈殿槽１の内部に被処理水が貯留された状態（例えば被処理水の処理中の状態）で行われてもよく、沈殿槽１の内部から被処理水が抜かれた状態で行われてもよい。
【００６２】
このような構成によれば、第１の実施形態と同様に、被処理水の処理の安定性の向上を図ることができる。特に本実施形態では、清掃機構３６は、第１清掃部材として第１分散板４１の上面４１ｕに向けて水を吐出する第１給水管６１を有する。このような構成によれば、例えば第１給水管６１から吐出される水によって、第１分散板４１の上面４１ｕを清掃することができる。これにより、例えば清掃板を設置することが難しい場合であっても、清掃機構３６を設けることができる。
【００６３】
なお本実施形態では、１つの給水接続管６４が、第１給水管６１、第２給水管６２、および第３給水管６３に共通して接続されている。これに代えて、清掃機構３６は、互いに独立して配置され、第１給水管６１、第２給水管６２および第３給水管６３に別々に接続された複数の給水接続管６４を有してもよい。
【００６４】
また、給水管６１，６２，６３は、図５に示された清掃板５１，５２，５３と同様に、分散板４１，４２，４３上のフロックＦを分散板４１，４２，４３の外周側に向けて案内するように、フロックＦが給水管６１，６２，６３に向けて相対的に移動する移動方向Ｄに対して分散板４１，４２，４３の外周側に向けて傾けて配置されてもよい。言い換えると、給水管６１，６２，６３は、分散板４１，４２，４３の内周側から外周側に向けて進むに従い、上述のフロックＦの相対的な移動方向Ｄの下流側に位置するように、掻寄シャフト３１の径方向Ｒに対して傾けて配置されてもよい。このような構成によれば、給水管６１，６２，６３は、この給水管６１，６２，６３に近付くフロックＦを、分散板４１，４２，４３の外周側に向けてスムーズに移動させ、フロックＦを分散板４１，４２，４３から槽体１１の底壁２１に落とすことができる。これにより、分散板４１，４２，４３の清掃効率を高めることができる。
【００６５】
また、給水管６１，６２，６３は、図６に示された清掃板５１，５２，５３と同様に、分散板４１，４２，４３の内周側から外周側に向けて進むに従い、上述のフロックＦの相対的な移動方向Ｄの下流側に位置するように湾曲していてもよい。このような構成によっても、給水管６１，６２，６３は、この給水管６１，６２，６３に近付くフロックＦを、分散板４１，４２，４３の外周側に向けてスムーズに移動させることができる。これにより、分散板４１，４２，４３の清掃効率を高めることができる。
【００６６】
（第４の実施形態）
次に、図１１および図１２を参照し、第４の実施形態について説明する。本実施形態は、給水管６１，６２，６３の端部６５に給水孔６７が設けられた点で第３の実施形態とは異なる。なお、以下に説明する以外の構成は、第３の実施形態と同様である。
【００６７】
図１１は、本実施形態の分散板ユニット２６を示す斜視図である。図１２は、本実施形態の分散板ユニット２６を示す断面図である。なお図中の矢印は、給水管６１，６２，６３から吐出される水（清掃水）の流れを模式的に示す。
図１１および図１２に示すように、本実施形態では、第１給水管６１は、斜め上方から第１分散板４１の上面４１ｕに面する端部６５を有する。第１給水管６１の端部６５は、第１分散板４１の内側（中心側）から外側に向けて傾いている。本実施形態では、給水孔６７は、第１給水管６１の端部６５に設けられ、斜め上方から第１分散板４１の上面４１ｕに面する。給水孔６７は、第１分散板４１の上面４１ｕに向けて水を吐出する。第１給水管６１は、第１分散板４１の内側（中心側）から外側に向けて水を吐出する。
【００６８】
なお、本実施形態の第２給水管６２および第３給水管６３に関するその他の説明は、本実施形態の第１給水管６１に関する上記説明において、「第１給水管６１」を「第２給水管６２」または「第３給水管６３」と、「第１分散板４１」を「第２分散板４２」または「第３分散板４３」と、「第１分散板４１の上面４１ｕ」を「第２分散板４２の上面４２ｕ」または「第３分散板４３の上面４３ｕ」と読み替えればよい。
【００６９】
このような構成によれば、第３の実施形態と同様に、被処理水の処理の安定性の向上を図ることができる。また、本実施形態の構成によれば、第３の実施形態の構成に比べて清掃機構３６の小型化を図ることができる場合がある。
【００７０】
なお本実施形態では、複数の給水接続管６４が、第１給水管６１、第２給水管６２、および第３給水管６３に接続されている。これに代えて、１つの給水接続管６４が、第１給水管６１、第２給水管６２および第３給水管６３に共通して接続されてもよい。
【００７１】
（第５の実施形態）
次に、図１３および図１４を参照し、第５の実施形態について説明する。本実施形態は、分散板４１，４２，４３が流入管２５に固定され、清掃板５１，５２，５３が掻寄シャフト３１に固定されて回転する点などで第１の実施形態とは異なる。なお、以下に説明する以外の構成は、第１の実施形態と同様である。
【００７２】
図１３は、本実施形態の分散板ユニット２６を示す斜視図である。図１４は、本実施形態の分散板ユニット２６を示す断面図である。
図１３および図１４に示すように、本実施形態では、分散板４１，４２，４３は、分散板支持部材４４を介して流入管２５に固定されており、槽体１１に対して回転しない。例えば、分散板支持部材４４は、流入管２５の外周面に固定され、分散板４１，４２，４３の外周面４１ｓ，４２ｓ，４３ｓよりも外側に配置されている。
【００７３】
ここで、図１４に示すように、本実施形態の第１分散板４１は、開口部４１ａを有する。開口部４１ａは、円形状または多角形状に形成されている。開口部４１ａは、槽体１１の中心軸Ｃ（掻寄シャフト３１）を中心とする同心円状に形成されている。掻寄シャフト３１は、開口部４１ａに通されている。第１分散板４１は、開口部４１ａを有することで、掻寄シャフト３１の外周面から離れている。これにより、掻寄シャフト３１は、静止する第１分散板４１に対してスムーズに回転することができる。
【００７４】
また本実施形態では、分散機構３５は、第１分散板４１に面する流入防止板７１を有する。流入防止板７１は、第１分散板４１の開口部４１ａの上方（または開口部４１ａの下方）に配置されている。例えば、流入防止板７１は、第１分散板４１と第１清掃板５１との間に配置されている。流入防止板７１は、掻寄シャフト３１に取り付けられ、掻寄シャフト３１と共に回転する。例えば、流入防止板７１は、第１分散板４１の開口部４１ａよりも大きな外形を有する。流入防止板７１は、第１分散板４１の開口部４１ａの少なくとも一部を覆う。
【００７５】
また本実施形態では、清掃機構３６の清掃板５１，５２，５３は、掻寄シャフト３１の外周面に取り付けられ、掻寄シャフト３１に固定されている。清掃板５１，５２，５３は、掻寄シャフト３１が回転する場合、掻寄シャフト３１と共に回転する。これにより、清掃板５１，５２，５３は、掻寄シャフト３１が回転することで、分散板４１，４２，４３の上面４１ｕ，４２ｕ，４３ｕに対して相対的に移動する。
【００７６】
このような構成によれば、第１の実施形態と同様に、被処理水の処理の安定性の向上を図ることができる。本実施形態では、第１清掃板５１は、掻寄シャフト３１に固定されている。一方で、第１分散板４１は、流入管２５に固定されている。このような構成によれば、第１の実施形態と同様に、第１清掃板５１を第１分散板４１に対して移動させるための専用の駆動源を省略することができる。これにより、清掃機構３６を有した分散板ユニット２６および沈殿槽１の低コスト化や小型化を図ることができる。
【００７７】
本実施形態では、分散板ユニット２６は、第１分散板４１に面する流入防止板７１をさらに備える。第１分散板４１は、掻寄シャフト３１が通される開口部４１ａを有する。流入防止板７１は、掻寄シャフト３１に取り付けられ、第１分散板４１の開口部４１ａの少なくとも一部を覆う。このような構成によれば、第１分散板４１が開口部４１ａを有する場合でも、流入管２５から槽体１１内に流入した流体が開口部４１ａから槽体１１の底壁２１に向けて流れることを抑制することができる。これにより、槽体１１の底壁２１に堆積した沈殿物の巻き上げを抑制することができ、被処理水の処理効率を高めることができる。
【００７８】
（第６の実施形態）
次に、図１５および図１６を参照し、第６の実施形態について説明する。本実施形態は、清掃板５１，５２，５３に代えて給水管６１，６２，６３が設けられた点で第５の実施形態とは異なる。なお、以下に説明する以外の構成は、第５の実施形態と同様である。
【００７９】
図１５は、本実施形態の分散板ユニット２６を示す斜視図である。図１６は、本実施形態の分散板ユニット２６を示す断面図である。
図１５および図１６に示すように、本実施形態では、分散板４１，４２，４３は、分散板支持部材４４を介して流入管２５に固定されており、槽体１１に対して回転しない。一方で、給水管６１，６２，６３および給水接続管６４は、掻寄シャフト３１に固定され、掻寄シャフト３１と共に回転する。なお給水管６１，６２，６３は、第３の実施形態の給水管６１，６２，６３でもよく、第４の実施形態の給水管６１，６２，６３でもよい。
【００８０】
図１６に示すように、本実施形態の清掃機構３６は、ローターシール７５を有する。例えば、ローターシール７５は、掻寄シャフト３１の上端部に取り付けられる。給水接続管６４は、ローターシール７５に接続されている。外部から給水接続管６４に水を供給するホース７６または固定配管７７は、ローターシール７５に接続される。これにより、ホース７６または固定配管７７は、掻寄シャフト３１と共に回転する給水接続管６４に水を供給することができる。
【００８１】
このような構成によれば、第５の実施形態と同様に、被処理水の処理の安定性の向上を図ることができる。
【００８２】
（第７の実施形態）
次に、図１７および図１８を参照し、第７の実施形態について説明する。本実施形態は、第１分散板４１が掻寄シャフト３１に固定されるとともに、第２分散板４２および第３分散板４３が流入管２５に固定された点などで第１の実施形態とは異なる。なお、以下に説明する以外の構成は、第１の実施形態と同様である。
【００８３】
図１７は、本実施形態の分散板ユニット２６を示す斜視図である。図１８は、本実施形態の分散板ユニット２６を示す断面図である。
図１７および図１８に示すように、本実施形態では、第１分散板４１は、開口部４１ａを有しない。第１分散板４１は、第１の実施形態と同様に、掻寄シャフト３１に固定されており、掻寄シャフト３１と共に回転する。一方で、第２分散板４２および第３分散板４３は、第５の実施形態と同様に、分散板支持部材４４によって流入管２５に固定されており、槽体１１に対して回転しない。
【００８４】
また本実施形態では、第１清掃板５１は、清掃板支持部材５４によって、第２分散板４２に固定されており、槽体１１に対して回転しない。なお上記構成に代えて、第１清掃板５１は、清掃板支持部材５４によって、流入管２５に直接に固定されていてもよい。一方で、第２清掃板５２および第３清掃板５３は、第５の実施形態と同様に、掻寄シャフト３１に固定されており、掻寄シャフト３１と共に回転する。
【００８５】
このような構成によれば、第１の実施形態と同様に、被処理水の処理の安定性の向上を図ることができる。特に本実施形態では、第１分散板４１、第２清掃板５２、および第３清掃板５３は、掻寄シャフト３１に固定されて掻寄シャフト３１と共に回転する。一方で、第１清掃板５１、第２分散板４２、および第３分散板４３は、流入管２５に固定されて回転しない。このような構成によれば、第５の実施形態に比べて、流入防止板７１を省略することができる。これにより、沈殿槽１の低コスト化や小型化を図ることができる。なお本実施形態の構成において、清掃機構３６は、清掃板５１，５２，５３に代えて、第３の実施形態または第４の実施形態の給水管６１，６２，６３を有してもよい。
【００８６】
（第８の実施形態）
次に、図１９および図２０を参照し、第８の実施形態について説明する。本実施形態は、分散機構３５が分流筒８１，８２を有した点などで第２の実施形態とは異なる。なお、以下に説明する以外の構成は、第２の実施形態と同様である。
【００８７】
図１９は、本実施形態の分散板ユニット２６を示す断面図である。図２０は、本実施形態の分散機構３５を示す斜視図である。
図１９および図２０に示すように、本実施形態では、分散機構３５は、分散板４１，４２，４３に加えて、第１分流筒８１および第２分流筒８２を有する。
【００８８】
第１分流筒８１および第２分流筒８２は、円筒状または多角形状などの筒状に形成され、両端部に開口部を有する。第１分流筒８１および第２分流筒８２の各々は、流入管２５から槽体１１内に供給される被処理水を複数の流れに分流する。すなわち、第１分流筒８１は、第１分流筒８１に向けて流れた被処理水を、第１分流筒８１の外周側に流れる流れと、第１分流筒８１の内周側に流れる流れとに分ける。同様に、第２分流筒８２は、第２分流筒８２に向けて流れた被処理水を、第２分流筒８２の外周側に流れる流れと、第２分流筒８２の内周側に流れる流れとに分ける。
【００８９】
図１９に示すように、第１分流筒８１は、第２分流筒８２の内側に配置されている。例えば、第１分流筒８１および第２分流筒８２は、槽体１１の中心軸Ｃ（掻寄シャフト３１）を中心とする同心円状に配置されている。これにより、槽体１１内には、第１流路９１、第２流路９２、および第３流路９３が形成されている。第１流路９１は、第１分流筒８１の内側に形成される。第２流路９２は、第１分流筒８１の外周面と第２分流筒８２の内周面との間に形成される。第３流路９３は、第２分流筒８２の外周面と流入管２５の内周面との間に形成される。本実施形態では、第１分流筒８１および第２分流筒８２の上端は、流入管２５の内側に挿入されている。一方で、第１分流筒８１の下端および第２分流筒８２の下端は、流入管２５の下端２５ａよりも下方に位置する。
【００９０】
また、第２分散板４２の第１開口部４２ａの形状および大きさは、第１分流筒８１の外形の形状および大きさと略同じである。第２分散板４２の内周端部４２ｅは、第１分流筒８１の下端に取り付けられている。これにより、第２分散板４２と第１分流筒８１とは、一体に形成されている。なお本願で言う「内周端部」とは、環状に形成された部材の内周面と、前記部材のなかで前記内周面に隣接した縁部とを含む領域である。
【００９１】
同様に、第３分散板４３の第２開口部４３ａの形状および大きさは、第２分流筒８２の外形の形状および大きさと略同じである。第３分散板４３の内周端部４３ｅは、第２分流筒８２の下端に取り付けられている。これにより、第３分散板４３と第２分流筒８２は、一体に形成されている。
【００９２】
このような分散機構３５によれば、流入管２５内を下方に向けて流れる被処理水の一部は、流入管２５の下端２５ａにおいて上記第１流路９１に入る。第１流路９１に入った被処理水は、第２流路９２および第３流路９３に入った被処理水とは分離された状態で、第１分散板４１に向けて流れて第１分散板４１に衝突する。これにより、第１流路９１に入った被処理水は、第１分散板４１によって鉛直方向とは異なる方向に分散される。同様に、流入管２５の下端２５ａにおいて第２流路９２に入った被処理水は、第１流路９１および第３流路９３に入った被処理水とは分離されて流れて、第２分散板４２によって鉛直方向とは異なる方向に分散される。流入管２５の下端２５ａにおいて第３流路９３に入った被処理水は、第１流路９１および第２流路９２に入った被処理水とは分離されて流れて、第３分散板４３によって鉛直方向とは異なる方向に分散される。このような構成によれば、第１分散板４１、第２分散板４２、および第３分散板４３に対してそれぞれ安定した量の被処理水を衝突させることができる。これにより、分散機構３５によって被処理水をより効率的に分散させることができる。
【００９３】
本実施形態では、第１清掃板５１、第２清掃板５２、および第３清掃板５３は、第２の実施形態と同様に、分散板４１，４２，４３の外周面４１ｓ，４２ｓ，４３ｓよりも外側で複数の清掃板支持部材５４によって支持されている。一方で、第２分散板４２および第３分散板４３は、第１分流筒８１および第２分流筒８２の上端部が分散板支持部材４４によって掻寄シャフト３１に固定されることで、掻寄シャフト３１に固定されている。言い換えると、第２分散板４２および第３分散板４３は、分流筒８１，８２および分散板支持部材４４によって、分散板４１，４２，４３の外周面４１ｓ，４２ｓ，４３ｓよりも内側で支持されている。
【００９４】
このような構成によれば、第１の実施形態と同様に、被処理水の処理の安定性の向上を図ることができる。また、本実施形態の構成によれば、第１分流筒８１および第２分流筒８２が設けられることで、被処理水の処理の安定性のさらなる向上を図ることができる。
【００９５】
以上、第１から第８の実施形態に係る分散板ユニット２６および沈殿槽１について説明した。ただし、実施形態の構成は、上記例に限定されない。例えば、各実施形態の構成は、互いに組み合わせて実施可能である。例えば、各実施形態における清掃板５１，５２，５３および給水管６１，６２，６３は、図５および図６に示された清掃板５１，５２，５３と同様に径方向Ｒに対して傾けて配置されてもよい。また、分散板の上方に配置される清掃部材は、清掃板および給水管に限定されない。清掃部材は、分散板上の沈殿物を清掃することができる部材であればよい。また、各実施形態の分散板ユニット２６は、上述した清掃機構３６をそれぞれ複数有してもよい。
【００９６】
以上説明した少なくともひとつの実施形態によれば、分散板ユニットは、沈殿槽に設けられる流入管の下方に配置される分散板と、分散板の上方に配置されて分散板の上面に対して相対的に移動する清掃部材とを有する。このような構成によれば、被処理水の処理の安定性のさらなる向上を図ることができる。
【００９７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９８】
１…沈殿槽、２５…流入管、２６…分散板ユニット、３１…掻寄シャフト、３４…掻寄板、４１…第１分散板、４１ｕ…第１分散板の上面、４１ａ…第１分散板の開口部、４２…第２分散板、４２ｕ…第２分散板の上面、４３…第３分散板、４３ｕ…第３分散板の上面、５１…第１清掃板（第１清掃部材）、５２…第２清掃板…（第２清掃部材）、５３…第３清掃板（第３清掃部材）、６１…第１給水管（第１清掃部材）、６２…第２給水管（第２清掃部材）、６３…第３給水管（第３清掃部材）、６７…給水孔、７１…流入防止板、Ｆ…フロック。
【図１】
2018020289.tif 000003
【図２】
2018020289.tif 000004
【図３】
2018020289.tif 000005
【図４】
2018020289.tif 000006
【図５】
2018020289.tif 000007
【図６】
2018020289.tif 000008
【図７】
2018020289.tif 000009
【図８】
2018020289.tif 000010
【図９】
2018020289.tif 000011
【図１０】
2018020289.tif 000012
【図１１】
2018020289.tif 000013
【図１２】
2018020289.tif 000014
【図１３】
2018020289.tif 000015
【図１４】
2018020289.tif 000016
【図１５】
2018020289.tif 000017
【図１６】
2018020289.tif 000018
【図１７】
2018020289.tif 000019
【図１８】
2018020289.tif 000020
【図１９】
2018020289.tif 000021
【図２０】
2018020289.tif 000022